(57)【要約】【課題】戸袋側から入り込もうとする光や室内からの明かりを確実に遮光できる引戸を提供すること。【解決手段】引込戸１では、戸袋３の戸繰り口３Ｃに遮光手段として、室内側の障子３０の膨出部３７を位置させた。このため、戸袋３の室外側を格子６７で形成しても、格子６７から入り込む光や室内の明かりを膨出部３７で遮断でき、室外側からの光が戸繰り口３Ｃを通して室内側に入り込んだり、室内の明かりが戸繰り口３Ｃを通して室外に漏れるのを防止でき、窓部２での遮光性能を確実に得ることができる。【選択図】　図３
2004132005.tif 000002
【特許請求の範囲】
【請求項１】
障子の移動方向の一端側に戸袋を備えた引戸であって、
前記戸袋の戸繰り口側には、当該戸繰り口を通過しようとする光を遮る遮光手段が設けられている引戸。
【請求項２】
前記遮光手段は、閉め切られた障子の前記戸繰り口に対応した位置にある框に設けられている請求項１に記載の引戸。
【請求項３】
前記遮光手段は、前記框から前記戸袋の戸先妻板側に膨出した膨出部を含んで構成されている請求項２に記載の引戸。
【請求項４】
前記遮光手段は、閉め切られた障子の前記戸繰り口に対応した位置にある框と、この框の室外側に設けられた前記戸袋の戸先妻板との間に位置し、かつ傾倒可能に設けられた可倒部材を含んで構成されている請求項１ないし請求項３のいずれかに記載の引戸。
【請求項５】
閉め切られた障子の前記戸繰り口に対応した位置にある框と、この框の室外側に設けられた前記戸袋の戸先妻板との間には、少なくとも前記障子の室外側で閉め切られた網戸または雨戸の框が位置する請求項１ないし請求項４のいずれかに記載の引戸。
【請求項６】
前記戸袋の戸先妻板と、前記障子が建て込まれる窓枠の一方の縦枠とには、シャッターを構成するスラットの上下動を案内するためのシャッターガイドレールが設けられている請求項１ないし請求項５のいずれかに記載の引戸。
【発明の詳細な説明】
【０００１】
【発明の属する技術分野】
本発明は、引戸に係り、例えば、障子の引込側に戸袋を備えるとともに、この戸袋の室外側部分が透光性を有している引戸に関する。
【０００２】
【背景技術】
近年、ベランダ、テラス等への出入りに利用される窓部分には、障子を開いた際に、室内からの見通しをよくするために、すべての障子を戸袋内（壁内）に収納して全開口とすることができるような全開口サッシ（引込戸、引戸）が設けられることが多くなってきた。また、このような窓部分の雨仕舞のためには、従来のような雨戸を用いることもあるが、電動式のシャッターを用いることもある。
【０００３】
ところで、障子が収容される戸袋の室外側は、鏡板等の面材で覆うのが一般的であるが（例えば、特許文献１参照）、建物の意匠性を向上させるために、鏡板の代わりとして面格子や化粧格子（装飾格子）等を配置することが考えられる。
【０００４】
【特許文献１】
実公昭６３−９５９号公報（第１図）
【０００５】
【発明が解決しようとする課題】
しかしながら、戸袋の室外側を格子で形成した場合には、この格子が透光性を有しているために、例えば、障子を閉め切り状態にし、シャッターを降ろして窓部分の雨仕舞を行うと、シャッター側から光が入り込むことはないが、格子から入り込む光は、戸袋を通過して戸繰り口から室内に入り込むため、窓部分を十分に遮光できないという問題が生じる。また、このことは、夜間等においては、室内の明かりが室外側に漏れることにもなり、やはり遮光性能に問題が生じる。
【０００６】
なお、このような問題は、通常の引違いサッシ（全開口ではない）の場合でも生じる可能性がある。つまり、雨戸を収容する戸袋がある場合など、この戸袋の室外側を格子で形成すると、雨戸や障子を閉め切った状態でも、戸袋を通過した光が室内に入り込んだり、室内の明かりが外に漏れることが考えられる。
【０００７】
本発明の目的は、戸袋側から入り込もうとする光や室内からの明かりを確実に遮光できる引戸を提供することにある。
【０００８】
【課題を解決するための手段】
本発明の引戸は、障子の移動方向の一端側に戸袋を備えた引戸であって、前記戸袋の戸繰り口側には、当該戸繰り口を通過しようとする光を遮る遮光手段が設けられていることを特徴とする。
このような本発明によれば、戸袋の戸繰り口側に遮光手段を設けることにより、戸袋の室外側を格子等で形成しても、戸繰り口から入り込む光や、そこを通過しようとする室内の明かりが遮光手段で遮られるので、光が室外側から室内側に入り込んだり、室内の明かりが室外に漏れる心配がなく、窓部分の遮光性能が確実に得られる。
なお、ここでの戸袋としては、障子が収容される戸袋の他、網戸や雨戸が収容される戸袋であってもよい。
【０００９】
この際、前記遮光手段は、閉め切られた障子の前記戸繰り口に対応した位置にある框に設けられていることが望ましい。
このような構成では、遮光手段が障子の框側に設けられるので、障子を開閉させても、障子と遮光手段が何ら接触することがなく、遮光手段の耐久性が良好になる。
【００１０】
そして、そのような框に設けられる遮光手段としては、前記框から前記戸袋の戸先妻板側に膨出した膨出部を含んで構成されていることが望ましい。
このような構成では、框自身の一部で膨出部が構成されるため、框とは別の部材を用いて遮光手段を構成する必要がなく、部材点数の低減が促進され、コストの削減が図れる。
【００１１】
一方、本発明の引戸に用いられる前記遮光手段は、閉め切られた障子の前記戸繰り口に対応した位置にある框と、この框の室外側に設けられた前記戸袋の戸先妻板との間に位置し、かつ傾倒可能に設けられた可倒部材を含んで構成されていてもよい。
この可倒部材は、これ単独で遮光手段を構成してもよいが、前述の框に設けられる膨出部等と併せて遮光手段を構成してもよい。
このような構成では、障子の框と戸袋の戸先妻板との間には隙間が形成されるが、この隙間を網戸や雨戸を移動させるために十分に大きく形成しても、隙間が可倒部材で遮蔽されるから、隙間から光が入り込んだり、明かりが漏れる心配もなく、遮光性能が良好に維持される。
【００１２】
以上のような引戸において、閉め切られた障子の前記戸繰り口に対応した位置にある框と、この框の室外側に設けられた前記戸袋の戸先妻板との間には、少なくとも前記障子の室外側で閉め切られた網戸または雨戸の框を位置させることが望ましい。
このような構成でも、障子の框と戸袋の戸先妻板との間に形成された隙間が、網戸や雨戸の框でもほぼ塞がれるので、光が入り込む心配が一層少なくなり、網戸や雨戸が遮光性能に何ら影響を与えることなく配置されるようになる。
【００１３】
さらに、前記戸袋の戸先妻板と、前記障子が建て込まれる窓枠の一方の縦枠とには、シャッターを構成するスラットの上下動を案内するためのシャッターガイドレールを設けることが望ましい。
従来の引戸等に設けられる戸袋は雨戸用である場合が多く、雨戸を用いる場合には一般にシャッターが不要であるから、シャッターと戸袋が併用されることは少ない。これに対して本発明では、戸袋は障子を収容するのに用いられるものであり、雨戸用ではないために、シャッターと戸袋とが併用される場合もあるのであるが、この際に、シャッターを構成するシャッターガイドレールの一本を窓枠の縦枠に、もう一本を戸先妻板に設ければ、シャッターと戸袋とを併用した場合でも、シャッターガイドレールが引戸に確実に取り付けられるようになり、障子が閉め切られる部分での遮光や雨仕舞を確実に行える。
なお、後述する実施形態では、戸先妻板を縦骨で兼用しており、このような場合では、当該縦骨にシャッターガイドレールが設けられることになる。
【００１４】
【発明の実施の形態】
以下、本発明の一実施形態を図面に基づいて説明する。
なお、各図面においては図面を見やすくするために、断面を示すハッチングを基本的に省略して記載している。
【００１５】
図１は、本実施形態に係る引戸としての引込戸１の窓部２を示す縦断面図、図２は、引込戸１の戸袋３を示す縦断面図、図３は、引込戸１の横断面図である。
引込戸１は、建物の開口部分に配置されて建物躯体Ａに固定されたベース枠１０と、このベース枠１０の室外側から外壁材Ｂにわたって設けられた窓枠２０と、窓枠２０内に移動自在に配置された室内外の一対の障子３０と、障子３０の室外側に配置された一対の網戸４０と、網戸４０のさらに室外側に開閉自在に設けられたシャッター５０（二点鎖線）とを備えており、図３で障子３０が閉め切られる箇所が窓部２で、障子３０の移動方向の一端側である窓部２の図中右側が、障子３０および網戸４０が収容される戸袋３になっている。
【００１６】
ベース枠１０は、窓部２の一部を形成する枠体であって、ベース上枠１１、ベース下枠１２、およびベース縦枠１３を四周枠組した構成である。
ベース上枠１１は、図１に示すように、室内側に配置された室内部材１１１と、この室外側に樹脂製の断熱部材１４，１５を介して連結された縦長中空断面を有する室外部材１１２とを含んで構成され、これら室内外部材１１１，１１２が上方の建物躯体Ａに固定されている。
【００１７】
ベース下枠１２は、室内側に配置されて下方の建物躯体Ａに固定された室内部材１２１と、この室外側に断熱部材１６，１７を介して連結された縦長中空断面を有する室外部材１２２とを含んで構成されている。室外部材１２２の中空部分には、断面逆Ｊ字形状の裏板材１２３が配置され、裏板材１２３を貫通する木ねじで室外部材１２２が建物躯体Ａに固定されている。また、室外部材１２２のさらに室外側には、横長中空断面を有する支持部材１２４がビス止めされている。
【００１８】
ベース縦枠１３は、図３に示すように、室内側に配置された室内部材１３１と、この室外側に断熱部材１８を介して連結された左右に長い中空断面を有する室外部材１３２を含んで構成され、これら室内外部材１３１，１３２が左右の建物躯体Ａに固定されている。
【００１９】
以上の室内外部材１１１，１１２，１２１，１２２，１３１，１３２および支持部材１２４は、アルミの押出形材製であり、裏板材１２３は、ステンレス等の板材を曲げ加工して製作されたものである。
【００２０】
窓枠２０は、窓上枠２１、窓下枠２２、および左右の窓縦枠２３を四周枠組みした構成である。
窓上枠２１は、図１、図２に示すように、室内側のガイドレール２１１Ａを備えた室内部材２１１と、この室内側に断熱部材２４を介して連結され、かつ室外側のガイドレール２１２Ａを備えた室外部材２１２とを含んで構成されている。室内外のガイドレール２１１Ａ，２１２Ａ間には、断面コ字形状の樹脂製のカバー部材２１３が取り付けられている。
【００２１】
図１に示す窓部２側において窓上枠２１は、室内部材２１１の室内端縁がベース上枠１１の室内部材１１１に当接され、室外部材２１２の室内側がベース上枠１１の室外部材１１２にビス止めされている。
図２に示す戸袋３側において窓上枠２１は、室内部材２１１の室内端縁が外壁材Ｂに当接され、室外部材２１２の室内側が図示しない木ねじ等で外壁材Ｂに固定されている。
このような室外部材２１２のベース上枠１１でのビス止め部分や、外壁材Ｂへの固定部分は、蓋部材２５で隠されており、防水性および意匠性の向上が図られている。
【００２２】
窓下枠２２は、図１、図２に示すように、室内側のガイドレール２２１Ａを備えた室内部材２２１と、この室内側に断熱部材２６を介して連結され、かつ室外側のガイドレール２２２Ａを備えた第１室外部材２２２と、この下方に配置されて室外端縁同士が係止され、かつ断熱部材２７を介して室内部材２２１に連結された第２室外部材２２３とを含んで構成されている。
【００２３】
図１に示す窓部２側において窓下枠２２は、室内部材２１１の室内端縁がベース下枠１２の室内部材１２１にビス止めされているとともに、支持部材１２４の上面に断熱部材２８介して載置され、また、第２室外部材２２３が当該支持部材１２４の中空部分にビス止めされている。
図２に示す戸袋３側において窓下枠２２は、別の支持部材２２４および水切り部材２２５を介して下方の建物躯体Ａに固定されている。具体的には、窓下枠２２の室内部材２２１が支持部材２２４の上端縁にビス止めされ、第２室外部材２２３が支持部材２２４の中空部分にビス止めされている。この際、室内部材２２１の室内端縁は、支持部材２２４に固定される部分を除いて切削削除されており、この削除した部分は図１に示す窓部２において、ベース下枠１２に固定される部分に相当する。
【００２４】
窓縦枠２３は、窓部２側の窓縦枠２３が中空断面を有しているのに対し、戸袋側の窓縦枠２３は断面コ字形の板状である。
そして、窓部２側において窓縦枠２３は、その室内側のベース縦枠１３にビス止めされ、戸袋３側において窓縦枠２３は、外壁材Ｂ上から建物躯体Ａに固定されている。
【００２５】
以上の窓上下枠２１，２２の各室内外部材２１１，２１２，２２１，２２２，２２３、支持部材２２４、水切り部材２２５、および窓縦枠２３は、アルミの押出形材製である。
【００２６】
ここで、窓枠２０には、図３に示すように、中空部を有する縦断面Ｌ字形状の縦中骨２９が設けられている。この縦中骨２９の上下両端は、窓上枠２１および窓下枠２２の室内側間に挟持されるようにしてビス止めされ、最終的に窓部２および戸袋３の境界部分にあるベース縦枠１３にビス止めされる。そして、この縦中骨２９には、室内側の障子３０を締め切り位置に固定するためのクレセント錠２９１が取り付けられている。
なお、この障子３０の竪框３３（召合せ框）にもクレセント錠２９１が設けられているのは、通常の引違い窓等と同じである。
【００２７】
このような窓枠２０の図３中の右側の空間は、障子３０が収容される障子収納戸袋部３Ａになっており、以下に説明する網戸収納戸袋部３Ｂと併せて前述来の戸袋３が形成されている。
すなわち、網戸収納戸袋部３Ｂは、図２、図３に示すように、窓枠２０の障子収納戸袋部３Ａの室外側に設けられた戸袋用枠体６０で形成されている。この戸袋用枠体６０は、窓枠２０の窓上枠２１の室外側に配置された上横骨６１と、窓下枠２２の室外側に配置された下横骨６２と、窓枠２０の一方の窓縦枠２３の室外側に配置されて上下の横骨６１，６２の一端間を連結する縦骨６３と、上下の横骨６１，６２の他端間を連結する戸先妻板としての別の縦骨６４とを四周枠組した構成である。
上横骨６１、下横骨６２、および縦骨６４の室外側には、保持片６１Ａ，６２Ａ，６４Ａが設けられている。また、縦骨６３の室外側には、断面コ字形の保持部材６５がビス止めされている。各保持片６１Ａ，６２Ａ，６４Ａおよび保持部材６５で形成される保持部６６には、面格子や化粧格子等の透光性を有する格子６７が配置されている。
【００２８】
障子３０は、上框３１、下框３２、および左右の竪框３３を四周枠組みした框組内に複層ガラス３４を配置した構成であり、下框３２内には、窓下枠２２のガイドレール２２１Ａ，２２２Ａ上を転動する戸車３５が設けられ、上框３１には、窓上枠２１のガイドレール２１１Ａ，２１２Ａの下端側が収容されるガイド溝３６が設けられている。
これらの障子３０は、図３に示すように閉め切られた状態に位置することにより、窓部２が全閉状態となり、図示を省略するが、図３中の右側に寄せて障子収納戸袋部３Ａ内に収まることにより、窓部２が全開口となる。
【００２９】
網戸４０も、上框４１、下框４２、および左右の竪框４３を四周枠組みした框組内に樹脂製の網体４４を張設した構成であり、窓下枠２２の室外側にビス止めされた一条のガイドレール部材４５上に二枚用いられ、窓部２の全体を覆うことが可能である。網戸４０の下框４２内には戸車４６が設けられ、この戸車４６がガイドレール部材４５上を転動する。ガイドレール部材４５の一端は、戸繰り口３Ｃの部分で終了しており、ガイドレール部材４５上から順次外された網戸４０は、網戸収納戸袋部３Ｂ内の一対のガイド片３Ｄに沿って案内され、当該網戸収納戸袋部３Ｂに収容される。
【００３０】
シャッター５０は、図１、図３に二点鎖線で示すように、引込戸１における窓部２上方のシャッターボックス５１内に、アルミ形材等で構成された複数のスラット５２を巻回状態に収容した構成であり、室内側のスイッチを操作してスラット５２を繰り出したり、巻き上げることにより、窓部２でのシャッター開閉を行うことが可能である。
【００３１】
また、シャッター５０は、図３に示すように、左右一対のシャッターガイドレール５３を備え、このシャッターガイドレール５３に案内されてスラット５２が上下に移動する。この際、図３中の左側のシャッターガイドレール５３は、ガイドレール取付用縦骨５４を介して窓縦枠２３に取り付けられているが、右側（戸袋３側）のシャッターガイドレール５３は、戸袋用枠体６０の縦骨６４に取り付けられている。つまり、この縦骨６４は、戸袋用枠体６０本来の構成部材である他、戸袋３の戸先妻板を兼用し、かつガイドレール取付用縦骨をも兼用している。
【００３２】
以上に説明した引込戸１は、次のようにして現場施工される。
先ず、予め枠組したベース枠１０を、建物の開口部分に配置して建物躯体Ａに固定し、この後、このベース枠１０のベース下枠１２に支持部材１２４を固定し、窓部２側の一部を施工しておく。一方の戸袋３側では、水切り部材２２５および支持部材２２４を建物躯体Ａに取り付けておく。
【００３３】
次いで、やはり予め枠組した窓枠２０を取り付ける。この際、窓部２側にあっては、窓枠２０をベース枠１０および支持部材１２４に固定する。また、戸袋３側にあっては、窓枠２０の窓下枠２２を支持部材２２４に固定し、窓縦枠２３や他の部分を外壁材Ｂあるいはその内側の建物躯体Ａに固定する。
【００３４】
さらに、戸袋用枠体６０を予め組み立てておき、これを窓枠２０に固定する。そして、シャッターボックス５１およびシャッターガイドレール５３の取付や、シャッター用電気配線を行い、シャッター５０の設置を完了させる。
最後に、窓枠２０内に障子３０および網戸４０を建て込む。
【００３５】
以下には、本発明に係る遮光手段について説明する。
図３に示すように、室内側の障子３０において、戸袋３側の竪框３３は、その室外側にある戸袋用枠体６０の縦骨６４側に膨出した中空の膨出部３７を一体に備えている。この膨出部３７は、シャッター５０が閉められ、かつ障子３０が閉め切られた状態にあるとき、戸袋３の戸繰り口３Ｃに位置し、本発明に係る遮光手段として機能する。
【００３６】
すなわち、戸袋用枠体６０の室外側の保持部６６内には、透光性を有する格子６７が配置され、この格子６７を通って入り込んだ光は、戸袋３（網戸収納戸袋部３Ｂ）内を通過して戸繰り口３Ｃに達するが、この戸繰り口３Ｃに膨出した竪框３３の膨出部３７に遮られることになり、障子３０を通して室内側に入り込む心配がない。
また、夜間等においては、室内のカーテン等が開けられた状態であっても、室内の明かりが膨出部３７によって遮られ、室外に漏れ出す心配がない。
【００３７】
ところで、この戸繰り口３Ｃにおいて、竪框３３の膨出部３７と戸袋用枠体６０の縦骨６４との間には、網戸４０を通過させるための隙間が形成されている。
そして、本実施形態では、網戸４０が閉め切られた状態にあるとき、この隙間には、戸袋３側の網戸４０の竪框４３が位置するようになり、この隙間を通過しようとする光（明かり）をも有効に遮光することが可能である。
また、障子３０が閉め切られているのに対し、網戸４０が網戸収納戸袋部３Ｂ内に収容されている場合には、最後に収容される網戸４０の竪框４３が当該隙間内に位置するようになっており（図６参照）、このような場合でも、隙間での遮光が確実に行える。
【００３８】
なお、膨出部３７と縦骨６４との間には、網戸４０の竪框４３だけではなく、例えば、図４（Ａ）に示すように、傾倒可能な可倒部材としてのモヘア６８を設けてもよく、このモヘア６８を含んで本発明の遮光手段を構成してもよい。そして、モヘア６８は、縦骨６４側ではなく、膨出部３７側に取り付けられていてもよい。このようなモヘア６８は、隙間を確実に遮蔽することになるため、遮光性能が格段に向上する。また、モヘア６８が傾倒可能であることにより、網戸４０の移動も支障なく行われる。
【００３９】
さらに、モヘア６８の代わりに、図４（Ｂ）に示すような可倒部材６９を設けてもよい。この可倒部材６９は、例えば、隙間を遮蔽する遮蔽板６９Ａと、この遮蔽板６９Ａおよび縦骨６４間に取り付けられたねじりバネ６９Ｂとを備え、このねじりバネ６９Ｂの弾性力で遮蔽板６９Ａが傾倒し、かつ復帰可能である。このような構成でも、前述のモヘア６８の場合と同様な効果が得られる。
【００４０】
このような本実施形態によれば、以下のような効果がある。
（１）　引込戸１において、戸袋３の戸繰り口３Ｃには遮光手段として、室内側の障子３０の膨出部３７が位置するので、戸袋３の室外側を格子６７で形成しても、格子６７から入り込む光や室内の明かりを膨出部３７で遮断でき、室外側からの光が戸繰り口３Ｃを通して室内側に入り込んだり、室内の明かりが戸繰り口３Ｃを通して室外に漏れるのを防止でき、窓部２での遮光性能を確実に得ることができる。
【００４１】
（２）　膨出部３７は、室内側の障子３０の竪框３３に設けられているので、この障子３０を開閉させても、障子３０と膨出部３７とが何ら接触することがなく、膨出部３７が障子３０と擦れたり、勢いよく衝突するといった心配がない。このため、膨出部３７に摩耗や変形が生じるおそれがなく、膨出部３７の耐久性を良好にできる。
【００４２】
（３）　そして、膨出部３７は、押出形材製である竪框３３に一体成形されているから、竪框３３自身の一部で膨出部３７を容易に構成できる。従って、竪框３３とは別の部材を用いて膨出部３７を構成する必要がなく、部材点数の低減を促進できるとともに、部材コストを削減できる。
【００４３】
（４）　また、膨出部３７とこの室外側の縦骨６４との隙間に、モヘア６８や可倒部材６９を配置することにより、網戸４０の通過用にその隙間を十分に大きく形成しても、この隙間から光が室内側に入り込んだり、室内の明かりが室外に漏れる心配がなく、遮光性能を一層向上させることができる。
【００４４】
（５）　この際、モヘア６８や可倒部材６９は傾倒可能であるから、網戸４０の開閉時に接触しても、それらが倒れ込むことで邪魔になることはなく、網戸４０の開閉を何ら支障無く行える。
【００４５】
（６）　膨出部３７と縦骨６４との隙間は、各網戸４０を閉め切った状態では、戸袋３側の網戸４０の一竪框４３で塞がれ、各網戸４０を網戸収納戸袋部３Ｂ内に収容した状態でも、別の網戸４０の一竪框４３で塞がれるため、シャッター５０が降ろされている（閉じられている）状況では、各網戸４０の開閉状態に関係なしに、その隙間から光が入り込んだり、室内の明かりが漏れるのを確実に防止でき、網戸４０を遮光性能に何ら影響を与えることなく配置できる。
【００４６】
（７）　引込戸１では、シャッター５０が設けられているが、シャッター５０を構成するシャッターガイドレール５３の一本は窓枠２０の一方の縦枠２３（図３中の左側であって、戸袋３とは反対側の縦枠）に、もう一本が戸先妻板を兼用する縦骨６４に設けられているので、シャッター５０と戸袋３とを併用した場合でも、シャッターガイドレール５３を確実に取り付けることができ、障子３０が閉め切られる窓部２での遮光や雨仕舞をより確実に行える。
【００４７】
なお、本発明は、前記実施形態に限定されるものではない。
例えば、前記実施形態の引込戸１は、室内外の一対の障子３０を備えていたが、本発明の引戸としては、図５の横断面に示す引込戸５ように、室内側に一対の障子３０（３０Ａ，３０Ｂ）がガイドレール２２１Ａ上を移動可能に配置され、室外側に一枚の障子３０がガイドレール２２２Ａ上を移動可能に配置された構成であってもよい。このような引込戸５においては、室内側のガイドレール２２１Ａは、戸袋３側の障子３０Ａを戸袋３内まで案内する第１レール２２１Ｂと、もう一方の障子３０Ｂを戸袋３内まで案内する第２レール２２１Ｃとで構成されている。
【００４８】
第１レール２２１Ｂはさらに、障子３０Ａの一端側（戸袋３側）の戸車３５が転動する主レール２２１Ｄと、他端側の戸車３５が転動する補助レール２２１Ｅとで構成されている。主、補助レール２２１Ｄ，２２１Ｅのそれぞれは、互いに一直線上にあり、かつ第２レール２２１Ｃと平行な平行部２２１Ｆ，２２１Ｇと、この平行部２２１Ｆ，２２１Ｇの端部から室内側に向けて湾曲した湾曲部２２１Ｈ，２２１Ｉとで形成されている。また、各平行部２２１Ｆ，２２１Ｇと、第２レール２２１Ｃとは、障子３０Ａ，３０Ｂの見込み寸法内に設けられ、各障子３０Ａ，３０Ｂの戸車３５（障子３０Ａの戸車のみを図示）の位置を、見込み方向（室内外方向）にずらすことで、それら障子３０Ａ，３０Ｂ全体の見込み方向の位置を同じにしている。
【００４９】
このような第１レール２２１Ｂ上を移動する障子３０Ａは、戸袋３側のベース縦枠１３に設けられた縦中骨２９に係止することで、窓部２側への移動可能範囲が規定されており、その窓部２側では、障子３０Ａの移動範囲内にあわせて第１レール２２１Ｂの長さが設定されている。
【００５０】
このような引込戸５の障子３０Ａは、図６に示すように、障子収納戸袋部３Ａ内では、主、補助レール２２１Ｄ，２２１Ｅの湾曲部２２１Ｈ，２２１Ｉに沿って室内側に移動する。つまり、この障子３０Ａの戸車３５は、鉛直な回動軸で回動しながら、障子３０の姿勢を変えることなく湾曲部２２１Ｈ，２２１Ｉ上を転動する。
障子３０Ｂおよび室外側の障子３０の移動については、前記実施形態とほぼ同様である。
また、障子３０Ａ，３０Ｂの各竪框３３としては、アルミの押出形材からなる室内部材および室外部材と、これらの室内外部材を連結する樹脂製の断熱部材とで構成された断熱形材が用いられており、断熱性能の向上が図られている。図示しない上框および下框も同様である。
【００５１】
そして、引込戸５の障子３０Ａにおいても、戸袋３側の竪框３３には、前記実施形態と同様な遮光手段としての膨出部３７が設けられており、この膨出部３７が戸袋３の戸繰り口３Ｃに位置することで、シャッター５０が閉まっているときでも、戸繰り口３Ｃを通して室内側に光が入り込んだり、室内の明かりが戸繰り口３Ｃを通して室外に漏れるのを防止できる。
また、網戸４０は用いられる枚数が異なるが、その具体的な構成は前記実施形態と同じである。従って、例えば、全網戸４０が閉め切られている状態では、最も戸袋３側の網戸４０の竪框４３が膨出部３７の室外側の隙間を塞ぎ、全網戸４０が網戸収納戸袋部３Ｂ内に収容されている状態では、最後に収容された網戸４０の窓部２側の竪框４３がその隙間を塞いでおり、網戸４０の開閉状態に関係なく遮光性能が維持されるようになっている。
【００５２】
前記実施形態および図５、図６に示す変形例では、窓部２の遮光用（あるいは雨仕舞用）にシャッター５０が設けられ、障子３０の室外側には網戸４０が配置されていたが、例えば、網戸４０の代わりに雨戸が設けられたり、あるいは網戸４０の室外側に雨戸が設けられ、シャッター５０が設けられない場合でも、本発明に係る遮光手段を設けることができる。このような場合にも、雨戸が閉め切られた状態で、戸袋３側から入り込もうとする光や、室内の明かりを遮光でき、本発明の目的を達成できる。
なお、雨戸を用いる場合では、全雨戸を閉め切った状態にしたとき、最も戸袋３側にある雨戸の竪框等で膨出部３７の室外側の隙間が塞がれればよく、全雨戸が戸袋３内に収容されているときは、最後に収容された雨戸の竪框で当該隙間が塞がれる必要はない。雨戸が戸袋３内に収容されているときは、窓部２から当然に採光が得られ、隙間を塞ぐ意味がないからである。
【００５３】
さらに、例えば、雨戸が用いられる場合においては、戸袋３としては、雨戸専用の戸袋であってよい。つまり、本発明の引戸としては、雨戸用の戸袋を備えた引違い窓などであってもよく、障子３０が必ずしも戸袋３内に引き込まれる必要はない。このような戸袋３付きの引違い窓の場合でも、戸袋３の室外側を格子６７で形成すると、雨戸を閉めた際に戸袋３側から戸繰り口３Ｃを通過して光が入り込んだり、室内の明かりが漏れる可能性があるが、本発明に係る遮光手段を設けることで、そのような光や明かりを遮光できる。
【００５４】
前記実施形態では、戸袋３の室外側が格子６７で形成されていたが、これに限定されず、透光性を有するガラスや樹脂製の面材からなる鏡板で戸袋３の室外側を形成した場合でも、本発明に含まれる。
さらに、透光性がない鏡板で戸袋３の室外側を形成した場合でも、そのような鏡板が着脱自在とされ、透光性を有するものに変更可能であったり、あるいは、透光性を有するものと有しないものとを、顧客側（施主側）が選択して決定した結果、透光性がない鏡板を用いた場合でも、本発明に係る遮光手段が設けられている場合には、本発明に含まれる。
【００５５】
ベース枠１０や窓枠２０の構成、接合構造などは前記実施形態に限らない。例えば、各枠１０，２０の枠１１，１２，１３，２１，２２等は、アルミの押出形材と樹脂製の断熱部材とを組み合わせることにより、室外面から室内面への熱伝導が低減された断熱枠材等で構成されていたが、これに限らず、単にアルミや他の金属の押出形材で構成されたものや（金属枠）、単に合成樹脂や合成木材などのアルミ材に比べて熱伝導率の低い部材で構成されたもの、さらには、そのような低熱伝導率の部材で金属枠の室内面が覆われたものを利用してもよい。
【００５６】
【発明の効果】
以上に述べたように、本発明の引戸によれば、戸袋側から入り込もうとする光や室内からの明かりを確実に遮光できるという効果がある。
【図面の簡単な説明】
【図１】本発明の一実施形態に係る引戸を示す縦断面図である。
【図２】前記実施形態の別の部位を示す縦断面図である。
【図３】前記実施形態を示す横断面図である。
【図４】本発明の変形例の要部を示す縦断面図である。
【図５】本発明の他の変形例を示す横断面図である。
【図６】前記他の変形例の別の部位を示す横断面図である。
【符号の説明】
１，５…引戸である引込戸、３…戸袋、３Ｃ…戸繰り口、３０…障子、３３…遮光手段が設けられる框である竪框、３７…遮光手段を構成する膨出部、４０…網戸、４３…網戸の框である竪框、６４…戸先妻板を兼用する縦骨、６８…遮光手段を構成する可倒部材であるモヘア、６９…遮光手段を構成する可倒部材。
【図１】
2004132005.tif 000003
【図２】
2004132005.tif 000004
【図３】
2004132005.tif 000005
【図４】
2004132005.tif 000006
【図５】
2004132005.tif 000007
【図６】
2004132005.tif 000008